(57)【特許請求の範囲】
【請求項１】
前面にアースピン装着開口が設けられるとともに前面に対して交差する先端面から前面のアースピン装着開口に亘って挿入溝が設けられ、直管形ランプの一端から突出するアースピンの軸部およびこの軸部の先端の断面楕円形状の接続部が先端面の挿入溝から内部に挿入されるとともに、アースピンの軸部が前面の挿入溝からアースピン装着開口に挿入され、アースピン装着開口に挿入されたアースピンが直管形ランプの管軸を中心に所定の装着位置に回転されて装着されるソケット本体と；
ソケット本体のアースピン装着開口に軸部が挿入されたアースピンの回転を許容し、ソケット本体のアースピン装着開口に軸部が挿入される手前の挿入溝に位置する状態でのアースピンの回転を規制する回転規制部と；
装着位置に回転するアースピンの接続部が接続されるアース端子と；
を具備していることを特徴とするソケット。
【請求項２】
ソケット本体の前面の挿入溝とアースピン装着開口との間に、アースピンの軸部の直径より狭い間隔を有し、挿入溝とアースピン装着開口との間でのアースピンの軸部の移動に抵抗を付与する幅狭部が設けられている
ことを特徴とする請求項１記載のソケット。
【請求項３】
アース端子は、アースピンの接続部の周面に対向し、装着位置に回転するアースピンの接続部が嵌り込んで接触するアースピン保持部、およびアースピンの接続部の回転方向に対応したアースピン保持部の両端位置に設けられた突部を有している
ことを特徴とする請求項１または２記載のソケット。
【請求項４】
アース端子は、アースピンの接続部の周面に対向する一対の端子片部を有し、これら一対の端子片部には、装着位置に回転するアースピンの接続部が嵌り込むアースピン嵌合開口が設けられている
ことを特徴とする請求項１または２記載のソケット。
【請求項５】
一端に軸部およびこの軸部の先端の断面楕円形状の接続部を有するアースピンが突出され、他端に給電用のランプピンが突出された直管形ランプと；
直管形ランプのアースピンが装着される請求項１ないし４いずれか一記載のソケットと；
直管形ランプのランプピンが挿入される給電用のソケットと；
を具備していることを特徴とする照明装置。
【発明の詳細な説明】
【技術分野】
【０００１】
本発明の実施形態は、一端に軸部およびこの軸部の先端の断面楕円形状の接続部を有するアースピンが突出された直管形ランプを接続するソケット、およびこのソケットを用いた照明装置に関する。
【背景技術】
【０００２】
一般に、断面円形の一対のランプピンが突出されたＧ１３形口金を両端に有する直管形蛍光ランプ、およびこの直管形蛍光ランプを接続する直管形蛍光ランプ用のソケットを用いた照明装置が多く使用されている。
【０００３】
このような直管形蛍光ランプ用のソケットには、一対のソケットの先端面から直管形蛍光ランプの両端のランプピンを挿入し、直管形蛍光ランプの管軸を中心として回転させることにより装着する回転装着式のものがある。
【０００４】
また、既設の照明装置に、直管形蛍光ランプに代えて使用可能な光源として、低消費電力かつ長寿命なＬＥＤ素子を用いた直管形ランプが提案されている。
【０００５】
この直管形ランプは、直管形蛍光ランプと同じ管長とされ、その両端には直管形蛍光ランプと同じ断面円形の一対の口金ピンが突出されたＧ１３形口金が設けられており、直管形蛍光ランプと同様に、既設の照明器具に配設された一対のソケット間に装着可能としている。
【０００６】
しかしながら、直管形ランプは直管形蛍光ランプと互換性のあるＧ１３形口金を用いているため、直管形蛍光ランプ用の点灯回路を搭載している照明装置に直管形ランプを誤って装着してしまったり、あるいは、直管形ランプ用の点灯回路を搭載している照明装置に直管形蛍光ランプを誤って装着してしまうおそれがある。
【先行技術文献】
【特許文献】
【０００７】
【特許文献１】特開２００３−１００４０２号公報
【特許文献２】実用新案登録第３１５２５０９号公報
【発明の概要】
【発明が解決しようとする課題】
【０００８】
直管形ランプの誤装着を防止するために、例えば、直管形ランプの一端に１つのアースピンを突出させ、他端に給電用の一対のランプピンを突出させることにより、Ｇ１３形口金を有する直管形蛍光ランプとの互換性を無くすことが考えられる。
【０００９】
このような直管形ランプのアースピンを回転装着式のソケットに装着する場合、アースピンが１つであるため、アースピンがソケットの所定の挿入位置まで挿入されなくてもアースピンを回転できてしまうことが考えられる。その場合、アースピンとソケット内に配置されるアース端子との接続が確実にできなかったり、アースピンがソケットから脱落するおそれがある。
【００１０】
本発明は、このような点に鑑みなされたもので、アースピンとアース端子との接続を確実にできるとともに、アースピンの脱落を防止できるソケット、およびこのソケットを用いた照明装置を提供することを目的とする。
【課題を解決するための手段】
【００１１】
実施形態のソケットは、前面にアースピン装着開口を設け、前面に対して交差する先端面から前面のアースピン装着開口に亘って挿入溝を設けたソケット本体を備える。そして、直管形ランプのアースピンをソケット本体の先端面の挿入溝から挿入するとともに、アースピンの軸部をソケット本体の前面の挿入溝からアースピン装着開口に挿入し、アースピンを直管形ランプの管軸を中心に回転させてソケットに装着する。さらに、ソケットは、ソケット本体のアースピン装着開口に軸部が挿入されたアースピンの回転を許容し、ソケット本体のアースピン装着開口に軸部が挿入される手前の挿入溝に位置する状態でのアースピンの回転を規制する回転規制部を備える。
【発明の効果】
【００１２】
本発明によれば、回転規制部により、ソケット本体のアースピン装着開口に軸部が挿入される手前の挿入溝に位置する状態でのアースピンの回転を規制するため、ソケット本体のアースピン装着開口にアースピンの軸部が確実に挿入されていなかったり、斜めに挿入された状態で、アースピンが装着されるのを防止でき、そして、ソケット本体のアースピン装着開口にアースピンの軸部が挿入された正しい挿入位置でのみアースピンの回転を許容することにより、アースピンとアース端子との接続を確実にできるとともに、アースピンがソケット本体から脱落するのを防止できることが期待できる。
【図面の簡単な説明】
【００１３】
【図１】第１の実施形態を示すアース用のソケットの断面図である。
【図２】同上アース用のソケットのランプピン装着状態の断面図である。
【図３】同上アース用のソケットおよび直管形ランプの一部の斜視図である。
【図４】同上アース用のソケットの分解状態の斜視図である。
【図５】同上給電用のソケットの正面図である。
【図６】同上直管形ランプの斜視図である。
【図７】同上アース用のソケットおよび給電用のソケットを用いた照明装置の側面図である。
【図８】同上照明装置の斜視図である。
【図９】第２の実施形態を示すアース用のソケットの断面図である。
【図１０】第３の実施形態を示すアース用のソケットのアース端子の斜視図である。
【図１１】同上アース用のソケットの断面図である。
【図１２】第４の実施形態を示すアース用のソケットを示し、(a)はアースピンを挿入した状態の断面図、(b)はアースピンを装着位置に回転させた状態の断面図のである。
【発明を実施するための形態】
【００１４】
以下、第１の実施形態を、図１ないし図８を参照して説明する。
【００１５】
図８に示すように、照明装置11は、直管形蛍光ランプ２灯用タイプの埋込形照明器具である照明器具12、およびこの照明器具12に用いられる２本の直管形ランプ13を備えている。
【００１６】
照明器具12は、天井面に埋め込み設置される下面開放形の長尺な器具本体15、この器具本体15の長手方向の両端に対向配置されて各直管形ランプ13の端部がそれぞれ装着される２組のソケット16，17（ソケット16は図７に示す）、および器具本体15に配置されて直管形ランプ13を点灯させる専用電源である点灯装置18を備えている。直管形ランプ13の一端側を装着する一端側のソケット16はアース用であり、直管形ランプ13の他端側を装着する他端側のソケット17は給電用である。
【００１７】
図６に示すように、直管形ランプ13は、直管形蛍光ランプと同程度の管長および管径で直管形蛍光ランプと略同じ外観に形成された透光性カバー21、この透光性カバー21内に収容された光源ユニット22、および透光性カバー21の両端部にそれぞれ設けられた口金23，24を備えている。直管形ランプ13の一端側の口金23はアース用のソケット16に装着されるアース用であり、直管形ランプ13の他端側の口金24は給電用のソケット17に装着される給電用である。
【００１８】
光源ユニット22は、例えばＬＥＤ素子やＥＬ素子などの複数の半導体発光素子25が実装された複数の基板26、およびこれら基板26を取り付けた取付板27を備えている。半導体発光素子25には、ＬＥＤ素子の場合、ＬＥＤチップが搭載された接続端子付きのＳＭＤ（Surface Mount Device）パッケージが用いられている。このＳＭＤパッケージは、パッケージ内に例えば青色光を発するＬＥＤチップが配置され、このＬＥＤチップをＬＥＤチップからの青色光の一部により励起されて黄色光を放射する黄色の蛍光体が混入された例えばシリコーン樹脂などの蛍光体層で封止されている。したがって、蛍光体層の表面が発光面となり、この発光面から白色系の光が放射される。
【００１９】
図３に示すように、アース用の口金23の端面には、その端面の管軸中心から１つ（１本）のアースピン28が突出されている。このアースピン28は、口金23から突出する円筒状の軸部29、およびこの軸部29の先端に設けられた楕円形状（長円形状）の接続部30を有している。接続部30の長手方向の両端は円弧面に形成されている。そして、図１に示すように、軸部29の直径をａ、接続部30の短手方向の寸法をｂ、接続部30の長手方向の寸法をｃとすると、ａ＜ｂ＜ｃの寸法関係にある。接続部30の寸法の具体例としては、接続部30の短手方向の寸法ｂを４ｍｍ、接続部30の長手方向の寸法ｃを８ｍｍとする。
【００２０】
図６および図７に示すように、給電用の口金24の端面には、給電用の一対のランプピン31が突出されている。
【００２１】
なお、直管形ランプ13は、アースピン28の接続部30の長手方向と、一対のランプピン31が並ぶ方向とが一致されているとともに、これらの方向に平行な面と光源ユニット22の半導体発光素子25の発光面とが平行になるように設けられている。すなわち、直管形ランプ13がソケット16，17間に正しく装着された状態で、光源ユニット22の半導体発光素子25の発光面からの光を所定の照射方向に照射できるように設けられている。
【００２２】
図７に示すように、ソケット16，17は、これらソケット16，17の先端面からアースピン28およびランプピン31を挿入し、直管形ランプ13の管軸を中心として例えば９０°回転させることにより所定の装着位置に装着する回転装着式が用いられている。
【００２３】
次に、図１ないし図４に、アース用のソケット16を示す。このソケット16は、ソケット本体41、およびこのソケット本体41内に配置される一対のアース端子42を備えている。なお、以下、ソケット16に関して、器具本体15に取り付ける側を基端、およびその反対側を先端と呼び、直管形ランプ13の端面に対向する面を前面、その反対側を背面、および前面と背面との間を外側面と呼ぶ。
【００２４】
ソケット本体41は、絶縁性を有する合成樹脂製であり、背面が開口されたケース45、およびこのケース45の背面に取り付けられるカバー46を備えている。
【００２５】
ケース45の基端には器具本体15に取り付けられる取付部47が設けられ、ケース45の前面には略円形のアースピン装着開口48が形成され、ケース45の外側面の先端である先端面から前面のアースピン装着開口48に亘って連通する挿入溝49が形成されている。
【００２６】
ケース45の先端面の挿入溝49の両側縁からケース45の内方へ向けて、その挿入溝49の両側壁を構成する規制壁50が形成されている。これら両側の規制壁50の対向間隔ｄは、アースピン28の接続部30の短手方向の寸法ｂより大きく、接続部30の長手方向の寸法ｃより小さく形成されている。さらに、ケース45内には、両側の規制壁50のそれぞれ外側に壁部51が形成されている。
【００２７】
ケース45の前面の挿入溝49とアースピン装着開口48との間には、アースピン28の軸部29の直径より狭い間隔を有し、挿入溝49とアースピン装着開口48との間でのアースピン28の軸部29の移動に抵抗を付与する幅狭部52が設けられている。この幅狭部52は挿入溝49内に突出する山状に形成され、幅狭部52の外側にはケース45の前面にスリット53がそれぞれ形成されている。そして、アースピン28の軸部29が幅狭部52を通過する際に、幅狭部52が挿入溝49の外側に弾性変形し、アースピン28の軸部29が幅狭部52を通過するのを許容する。
【００２８】
ケース45内には、一対のアース端子42の基端側を保持する一対のアース端子保持部54が形成されているとともに、一対のアース端子42の先端側を保持するアース端子保持部55が形成されている。アース端子保持部55は、規制壁50および壁部51で構成されている。ケース45の基端には各アース端子保持部54に連通するアース線挿入孔56が形成されている。
【００２９】
カバー46の前面には、ケース45の背面を閉塞した状態でケース45に係止される複数の係止部57が形成され、ケース45との間で各アース端子42を位置決め保持する複数の保持突部58が突設されている。
【００３０】
また、アース端子42は、導電性を有する板ばねによって形成されており、ケース45の基端側のアース端子保持部54に配置されるアース線接続部61、ケース45の先端側のアース端子保持部55に配置される先端部62、およびこれらアース線接続部61と先端部62との間でアースピン28と接続される端子片部63が形成されている。そして、一対のアース端子42は、端子片部63がケース45内の挿入溝49の両側に沿うように、ケース45内に配置されている。
【００３１】
アース線接続部61には、アース線挿入孔56から挿入されるアース線が挿通する挿通孔64、およびこの挿通孔64に挿通されたアース線に電気的に接続されるとともにアース線を抜け止めする鎖錠片65を有している。
【００３２】
先端部62は、ソケット本体41の先端面の挿入溝49に対向する端子片部63の先端から、挿入溝49の外側方に向けて略Ｌ字形に折曲形成されている。
【００３３】
端子片部63には、挿入溝49内に臨む面側が窪むアースピン保持部66が形成されている。このアースピン保持部66は、一対の傾斜面67で構成される断面略Ｖ字形の窪みに形成され、図２に示すように、所定の装着位置に回転されたアースピン28の接続部30の周面に対して一対の傾斜面67の２点が接触するように構成されている。
【００３４】
端子片部63には、アースピン保持部66の先端側から挿入溝49内とは反対の外側に向けて折り曲げられた規制片部68が形成されている。この規制片部68がケース45の壁部51に当接して端子片部63が挿入溝49の外側に弾性変形するのを規制する。
【００３５】
図１に示すように、一対のアース端子42の端子片部63において、この端子片部63の先端側であってアースピン保持部66より挿入溝49の入口側寄り部分での対向間隔ｅが、アースピン28の接続部30の短手方向の寸法ｂより小さい寸法に設定されている。そして、一対のアース端子42の端子片部63が挿入溝49の外側に弾性変形することにより、アースピン28の接続部30の通過が許容される。
【００３６】
そして、ケース45の挿入溝49の両側に位置する規制壁50、および一対のアース端子42の先端側によって、アースピン装着開口48に軸部29が挿入されたアースピン28の回転を許容し、アースピン装着開口48に軸部29が挿入される手前の挿入溝49に位置する状態でのアースピン28の回転を規制する回転規制部71が構成されている。
【００３７】
また、図５に示すように、給電用のソケット17は、ソケット本体74、このソケット本体74内に回転可能に配置された回転子75、およびソケット本体74内に配置された一対の給電端子76を備えている。
【００３８】
ソケット本体74には、前面に回転子75が回転可能に配置される円形の開口部74aが形成され、先端面から前面の開口部74aに連通して一対のランプピン31が挿入される挿入溝74bが形成されている。回転子75にも、一対のランプピン31が挿入される挿入溝75aが形成されている。
【００３９】
そして、直管形ランプ13の一対のランプピン31をソケット本体74の先端面から挿入溝74bおよび回転子75の挿入溝75aに挿入し、直管形ランプ13をその管軸を中心に９０°回転させることにより、その回転途中で一対のランプピン31が一対の給電端子76にそれぞれ接触し、これら一対の給電端子76を外側に弾性変形させて所定の装着位置に装着される。
【００４０】
また、図８に示す点灯装置18は、商用交流電源が入力され、交流電力を直流電力に変換し、この直流電力を給電用のソケット17の一対の給電端子76および直管形ランプ13の一対のランプピン31を通じて光源ユニット22に供給する。
【００４１】
次に、このように構成された照明装置11において、直管形ランプ13を接続する場合には、図７に示すように、直管形ランプ13のアースピン28およびランプピン31をソケット16，17の先端面からそれぞれ挿入して、直管形ランプ13をソケット16，17間に配置し、直管形ランプ13の管軸を中心として９０°回転させることにより、直管形ランプ13をソケット16，17間に装着する。
【００４２】
図１に示すように、直管形ランプ13のアースピン28は、接続部30の長手方向をケース45の先端面の挿入溝49に向け、その挿入溝49に挿入する。
【００４３】
アースピン28の接続部30をケース45の先端面から挿入溝49に挿入していくと、まず、挿入溝49の入口部で、アースピン28を接続部30が一対のアース端子42に接触し、アース接続が直ちになされる。このとき、給電用のソケット17においては、直管形ランプ13の給電用のランプピン31を給電用のソケット17に挿入しただけでは、ランプピン31が給電端子76に接触することはない。
【００４４】
アースピン28の接続部30を挿入溝49にさらに挿入していくと、アースピン28の接続部30で一対のアース端子42を外側に弾性変形させながら、アースピン28の接続部30が一対のアース端子42間に挿入されていく。
【００４５】
アースピン28の接続部30を挿入溝49にさらに挿入していくと、アースピン28の軸部29がケース45の一対の幅狭部52に接触し、アースピン28の挿入に抵抗がかかる。この抵抗に抗してアースピン28をさらに挿入していくと、アースピン28の軸部29がケース45の一対の幅狭部52を外側に弾性変形させながら、アースピン28の軸部29がケース45の一対の幅狭部52を乗り越えてケース45のアースピン装着開口48に嵌り込む。アースピン28の軸部29がケース45のアースピン装着開口48に嵌り込むと、アースピン28の挿入が規制されて挿入位置が位置決めされるとともに、アースピン28の軸部29の挿入方向とは反対側に一対の幅狭部52が当接し、アースピン28の軸部29をケース45のアースピン装着開口48に嵌り込んだ状態に保持する。したがって、直管形ランプ13のアースピン28をソケット16の所定の挿入位置まで挿入したことを操作者が把握しやすく、また、直管形ランプ13のアースピン28がソケット16の所定の挿入位置からずれたり外れるのを防止できる。
【００４６】
直管形ランプ13のアースピン28をソケット16の所定の挿入位置まで挿入すると、図１に２点鎖線で示すように、アースピン28が一対のアース端子42のアースピン保持部66間に配置される。
【００４７】
一方、図５に示すように、直管形ランプ13のアースピン28をアース側のソケット16に挿入するのと同時に、直管形ランプ13の一対のランプピン31を給電側のソケット17に挿入する。一対のランプピン31は、回転子75に配置されているが、一対の給電端子76にはまだ接続されていない。
【００４８】
そして、直管形ランプ13の光の放射方向が所定の照射方向に向くように、直管形ランプ13の管軸を中心として装着位置まで９０°回転させる。
【００４９】
直管形ランプ13を回転させると、アースピン28の接続部30の長手方向の両端部で両側のアース端子42を外側に弾性変形させながら、アースピン28の接続部30が回転する。図２に示すように、アースピン28が９０°回転すると、接続部30の長手方向の両端部が両側のアース端子42のアースピン保持部66に嵌まり込んで止まる。
【００５０】
接続部30の長手方向の両端部が両側のアース端子42のアースピン保持部66に嵌まり込んだ状態では、両側のアース端子42のアースピン保持部66の各傾斜面67が接続部30にそれぞれ接触し、両側のアース端子42が４点接触した状態でアースピン28を保持する。このとき、アースピン保持部66の先端側に設けた規制片部68がケース45の壁部51に当接し、両側のアース端子42が外側に移動するのを規制するため、アースピン28の接続部30がアースピン保持部66から外れるのを規制し、アースピン28がソケット16から脱落するのを確実に防止する。
【００５１】
一方、図５において、直管形ランプ13を回転させると、一対のランプピン31が回転子75と一緒に回転して一対の給電端子76に接触し、９０°回転した装着位置で一対のランプピン31がソケット17に保持される。
【００５２】
そして、点灯装置18の動作により、点灯装置18からの直流電力が給電用のソケット17の一対の給電端子76および直管形ランプ13の一対のランプピン31を通じて光源ユニット22に供給され、光源ユニット22の各半導体発光素子25が点灯し、各半導体発光素子25からの光が透光性カバー21を透過して照明器具12の下方の所定の照射方向へ照射される。
【００５３】
また、直管形ランプ13を外す場合には、直管形ランプ13を装着位置から挿入位置まで９０°回転させる。これにより、アース用のソケット16においては、アースピン28の接続部30の長手方向がソケット17に対する挿入方向に向き、アースピン28をソケット17の挿入溝49から抜き外すことができる。一方、給電用のソケット17においては、一対のランプピン31が並ぶ方向がソケット16に対する挿入方向に向き、一対のランプピン31をソケット17の挿入溝74bから抜き外すことができる。
【００５４】
直管形ランプ13を外す際、直管形ランプ13を装着位置から挿入位置まで９０°回転させると、アースピン28とアース端子42との接触が維持された状態で、一対のランプピン31が一対の給電端子76との接触が解除され、その後、直管形ランプ13をソケット16，17から抜き外すと、アースピン28とアース端子42との接触が解除される。
【００５５】
このように、直管形ランプ13の着脱の際、アース接続がなされた状態で、一対のランプピン31と一対の給電端子76との接触および接触解除ができる。
【００５６】
そして、アース用のソケット16によれば、回転規制部71により、ソケット本体41のアースピン装着開口48に軸部29が挿入される手前の挿入溝49に位置する状態でのアースピン28の回転を規制するため、ソケット本体41のアースピン装着開口48にアースピン28の軸部29が確実に挿入されていなかったり、斜めに挿入された状態で、アースピン28が装着されるのを防止でき、そして、ソケット本体41のアースピン装着開口48にアースピン28の軸部29が挿入された正しい挿入位置でのみアースピン28の回転を許容することにより、アースピン28とアース端子42との接続を確実にできるとともに、アースピン28がソケット本体41から脱落するのを防止できる。
【００５７】
また、ソケット本体41の前面の挿入溝49とアースピン装着開口48との間に、アースピン28の軸部29の直径より狭い間隔を有し、挿入溝49とアースピン装着開口48との間でのアースピン28の軸部29の移動に抵抗を付与する幅狭部52を設けているため、アースピン28をソケット16に挿入する際、アースピン28をソケット16の所定の挿入位置まで挿入したことを操作者に対して把握しやすくでき、また、アースピン28を所定の挿入位置で位置決め保持し、アースピン28がソケット16の所定の挿入位置からずれたり外れるのを防止できる。
【００５８】
次に、第２の実施形態を、図９を参照して説明する。なお、前記実施形態と同一構成については同一符号を用いてその説明を省略する。
【００５９】
アース端子42のアースピン保持部66の両端位置であって、アースピン28の接続部30の回転方向に対応した先端側および基端側の両端位置にダボ状の突部81がそれぞれ突出されている。
【００６０】
そして、一対のアース端子42のアースピン保持部66間に挿入したアースピン28の接続部30を回転させる際、アースピン28の接続部30の長手方向の両端部が各アース端子42の各一方の突部81に当接し、各一方の突部81を乗り越えることで接続部30の長手方向の両端部が各アース端子42のアースピン保持部66に嵌まり込むため、アースピン28の回転位置に節度を付与し、アースピン28を所定の装着位置に回転させたことを操作者に対して把握しやすくできる。また、各アース端子42の各他方の突部81は、各一方の突部81を乗り越えた接続部30の長手方向の両端部が回転しすぎて、各アース端子42のアースピン保持部66から外れるのを防止することができる。
【００６１】
次に、第３の実施形態を、図１０および図１１を参照して説明する。なお、前記実施形態と同一構成については同一符号を用いてその説明を省略する。
【００６２】
一対のアース端子42の端子片部63のアースピン保持部66には、装着位置に回転するアースピン28の接続部30が嵌り込むアースピン嵌合開口84が設けられている
そして、一対のアース端子42のアースピン保持部66間に挿入したアースピン28の接続部30を回転させる際、アースピン28の接続部30の長手方向の両端部がアースピン嵌合開口84にに嵌まり込むため、アースピン28の回転位置に節度を付与し、アースピン28を所定の装着位置に回転させたことを操作者に対して把握しやすくできる。また、接続部30の長手方向の両端部がアースピン嵌合開口84に嵌まり込んだ状態では、両側のアース端子42のアースピン嵌合開口84の先端側および基端側の縁部が接続部30にそれぞれ接触し、両側のアース端子42が４点接触した状態でアースピン28を保持するため、両側のアース端子42による４点支持によってアースピン28を確実に保持することができ、アースピン28がアース端子42から外れたりソケット16から脱落するのを確実に防止する。
【００６３】
次に、第４の実施形態を、図１２を参照して説明する。なお、前記実施形態と同一構成については同一符号を用いてその説明を省略する。
【００６４】
一対のアース端子42は、ケース45内の挿入溝49の両側で、挿入溝49に挿入されるアースピン28の接続部30が接触しない位置に配置されている。すなわち、一対のアース端子42は、アースピン28をソケット本体41の挿入溝49に挿入しただけでは接触せず、アースピン28をソケット本体41の所定の挿入位置に挿入してから回転させることで、アースピン28と接触するように構成されている。
【００６５】
一対のアース端子42のアースピン保持部66は、ソケット本体41の所定の挿入位置に挿入されたアースピン28の接続部30の両側に対向する位置に配置されている。
【００６６】
そして、直管形ランプ13の装着時、図１２(a)に示すように、アースピン28をソケット本体41の所定の挿入位置に挿入した状態では、アースピン28の接続部30は一対のアース端子42に接触していない。一方、図５に示すように、給電用の一対のランプピン31をソケット17に挿入した状態では、一対のランプピン31は一対の給電端子76に接触していない。
【００６７】
直管形ランプ13を回転させることにより、図１２(b)に示すように、アースピン28の接続部30が一対のアース端子42に接触し、一方、一対のランプピン31が一対の給電端子76に接触する。このとき、アースピン28の接続部30が一対のアース端子42に接触するのに必要な回転角度θ1は、一対のランプピン31が一対の給電端子76に接触するのに必要な回転角度θ2より小さく、θ1＜θ2の関係にある。
【００６８】
そのため、直管形ランプ13を回転させると、まず先にアースピン28とアース端子42とが接触してアース接続がなされ、その後、一対のランプピン31が一対の給電端子76に接触して給電可能となる。
【００６９】
また、ソケット16，17間に装着された直管形ランプ13を取り外すために回転させたときには、まず先に一対のランプピン31が一対の給電端子76との接触が解除され、その後、アースピン28とアース端子42との接触が解除される。
【００７０】
このように、直管形ランプ13の着脱の際、アース接続がなされた状態で、一対のランプピン31と一対の給電端子76との接触および接触解除ができる。
【００７１】
なお、第４の実施形態においても、第１の実施形態と同様に、アース用のソケット16が回転規制部71を備え、ソケット本体41のアースピン装着開口48にアースピン28の軸部29が確実に挿入されていなかったり、斜めに挿入された状態で、アースピン28が装着されるのを防止でき、そして、ソケット本体41のアースピン装着開口48にアースピン28の軸部29が挿入された正しい挿入位置でのみアースピン28の回転を許容することにより、アースピン28とアース端子42との接続を確実にできるとともに、アースピン28がソケット本体41から脱落するのを防止できる。また、第２および第３の実施形態のアース端子42の構成を適用できる。
【００７２】
また、回転規制部71は、ソケット本体41のみで構成してもよいし、アース端子42のみで構成してもよく、あるいはそれら両方で構成してもよい。
【００７３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７４】
11    照明装置
13    直管形ランプ
16    ソケット
17    ソケット
28    アースピン
29    軸部
30    接続部
41    ソケット本体
42    アース端子
48    アースピン装着開口
49    挿入溝
52    幅狭部
63    端子片部
66    アースピン保持部
71    回転規制部
81    突部
84    アースピン嵌合開口
【図１】
0005445782.tif 000002
【図２】
0005445782.tif 000003
【図３】
0005445782.tif 000004
【図４】
0005445782.tif 000005
【図５】
0005445782.tif 000006
【図６】
0005445782.tif 000007
【図７】
0005445782.tif 000008
【図８】
0005445782.tif 000009
【図９】
0005445782.tif 000010
【図１０】
0005445782.tif 000011
【図１１】
0005445782.tif 000012
【図１２】
0005445782.tif 000013